(57)【要約】      （修正有）【課題】長時間持ち歩きに好適であると同時に、宣伝効果も十分に備えた店内専用のバスケットの提供。【解決手段】バスケット本体部２の短手方向両側に回動可能に支持され、不要時には本体部の上部フランジに折畳み展開されるとともに、使用時にはフランジから起されて２つ合わせ状態で握持される略コ字形の一対の把手３を備えた店内専用買物バスケット１において、各把手３の握持部である水平部の外周に嵌合された筒状弾性体からなる把手カバー４と、把手カバー４の外周を被包する表装材５とからなり、表装材５には宣伝用の印刷物が形成されているものである。【選択図】図１
0003119893.tif 000002
【実用新案登録請求の範囲】
【請求項１】
バスケット本体部の短手方向両側に回動可能に支持され、かつ不要時には前記本体部の上部フランジに折畳み展開されるとともに、使用時には前記フランジから起されて２つ合わせ状態で握持される略コ字形の一対の把手を備えた店内専用買物バスケットにおいて、  前記各把手の握持部である水平部の外周に嵌合された弾性体からなる把手カバーと、各把手カバーの外周を被包する表装材とからなり、
前記表装材には宣伝用の印刷が形成されていることを特徴とする店内専用買物バスケット。
【請求項２】
前記把手は前記バスケット本体部に対し着脱可能であり、前記把手カバーは、前記把手に脱着可能に取付けられるものであることを特徴とする請求項１記載の店内専用買物バスケット。
【請求項３】
前記表装材は前記把手カバーに粘着剤を介して剥離可能に貼着されていることを特徴とする請求項１または２記載の店内専用買物バスケット。
【請求項４】
前記印刷物の内容が把手を２つ合わせした状態で把握出来るものであることを特徴とする請求項１乃至３のいずれか１項記載の店内専用買物バスケット。
【請求項５】
前記把手を２つ合せした状態で、一方の把手カバーが、他方の把手カバーの上面にオーバハング状に重合するものであることを特徴とする請求項１乃至４のいずれか１項記載の店内専用買物バスケット。
【請求項６】
前記把手カバーの中央部を両側部より細幅に形成したことを特徴とする請求項１乃至５のいずれか１項記載の店内専用買物バスケット。
【考案の詳細な説明】
【技術分野】
【０００１】
本考案は、スーパー、大形コンビニエンスストアなどの量販店に用いられる広告機能を付与した店内専用の買物用バスケットに関し、特に該バスケットの持ち易さと、宣伝性を強化した店内専用買物バスケットに関する。
【背景技術】
【０００２】
本出願人は、スーパー、大形コンビニエンスストアなどの量販店における広告、宣伝媒体の１つとして、店内専用の買物用バスケットに着目した。このバスケットは、店内売場では誰でもが手にするものであり、店内の集積場所にあるバスケットキャリアより取出して手にしてから、買物を行い、レジで精算し、商品積替え場所でバスケットキャリアに戻すまでの間は必ず消費者が携帯するものである。
【０００３】
そして、このバスケットの本体部は合成樹脂射出成形体からなるものであって、上部に積重ね用フランジ設けた断面台形状のもので、軽量化のため多数の長孔を形成したものであるが、この長孔は、強度向上のためバスケット本体部の両側部の長手方向中央でとぎれ、この部分が面となっている。
【０００４】
そこで本出願人は、この面状部分に葉書大の広告（以下ＰＯＰと称する）カードを貼着または差込方式などにより取付けることにより、消費者の注意を喚起出来ることに着目し、下記特許文献に示すＰＯＰ付店内専用の買物用バスケットを開発し、所定のコマーシャル効果を得られた。
【特許文献１】特開平９−３９９５３号公報
【考案の開示】
【考案が解決しようとする課題】
【０００５】
しかしながらこのＰＯＰカードは、バスケット本体内部側に貼着されているため、バスケットの中を積極的に覗かないとＰＯＰカードがあることが十分に意識されないうえに、バスケット本体内部に商品が詰込まれる毎に見えにくくなり、コマーシャル効果としては完全ではなかった。
【０００６】
ところで、以上の店内専用バスケットを持運ぶための一対の把手は、同一の射出成形体からなるコ字形であって、バスケット本体部の短手方向両側に回動可能に支持され、不要時には、前記本体のフランジ上に折畳み展開し、使用時には受け部を基点として起し、両把手を１つに合わせた状態で手に持って運ぶものである。
【０００７】
しかしながら、この把手はバスケット本体部の容量にしては細く、しかも樹脂製品であることから固い。従って、例えばバスケット本体部内に重量物を格納した場合には、手の持つ部分に赤い筋が付く程度にまで荷重が集中し、長い間もっていられず、その結果店内滞留時間が短くなる課題があった。
【０００８】
そこで本考案は、以上の課題を解決するためになされたものであり、その目的は、手に持ちやすく、長時間持ち歩きに好適であると同時に、宣伝効果も十分に備えた店内専用バスケットを提供するものである。
【課題を解決するための手段】
【０００９】
前記目的を達成するため、請求項１の考案は、バスケット本体部２の短手方向両側に回動可能に支持され、かつ不要時には前記本体部の上部フランジに折畳み展開されるとともに、使用時には前記フランジから起されて２つ合わせ状態で握持される略コ字形の一対の把手３、３を備えた店内専用買物バスケット１において、前記各把手の握持部である水平部の外周に嵌合された筒状弾性体からなる把手カバー４と、各把手カバー４の外周を被包する表装材５とからなり、前記表装材５には宣伝用の印刷が表示形成されていることを特徴としている。
【００１０】
請求項２の考案は、前記把手は前記バスケット本体部に対し着脱可能であり、前記把手カバーは、前記把手に脱着可能に取付けられるものであることを特徴としている。
【００１１】
請求項３の考案は、前記表装材は前記把手カバーに粘着剤を介して剥離可能に貼着されていることを特徴としている。
【００１２】
請求項４の考案は、前記印刷物の内容が把手を２つ合わせした状態で把握出来るものであることを特徴としている。
【００１３】
請求項５の考案は、前記把手を２つ合せした状態で、一方の把手カバーが、他方の把手カバーの上面にオーバハング状に重合するものであることを特徴としている。
【００１４】
請求項６の考案は、前記把手カバーの中央部を両側部より細幅に形成したことを特徴としている。
【考案の効果】
【００１５】
請求項１の考案によれば、通常の把手を持歩く場合に比べて、把手カバーがクッションとして作用し、重量が手の握持部分のみに集中しないため、持ちやすく、重量物をバスケット本体部内に入れた場合であっても、長時間の持歩きが可能となり、その結果店内滞留時間が長くなり、消費も増加する。この部分にはＰＯＰが印刷されているため、消費者に認識されやすい。
【００１６】
請求項２の考案によれば、既存の店内専用バスケットであっても、把手カバーを取付けるだけで、持ちやすいバスケットに変更できる。量販店以外の場所で把手に把手カバーを取り付け、把手カバーを取り付けた把手を量販店でバスケット本体部に取り付けることにより、広告のバスケットへの取り付け作業が効率化する。
【００１７】
請求項３の考案によれば、ＰＯＰ内容変更がある場合に、剥離及び貼着作業により簡単に交換を行うことが出来る。
【００１８】
請求項４の考案によれば、把手を２つ合せした状態で、そのＰＯＰ内容やＰＯＰ意図を消費者に理解させることが出来る。
【００１９】
請求項５の考案によれば、オーバハング側の把手カバーを覆う表装材にＰＯＰを印刷しておけば、把手を起せば直ちにＰＯＰ内容や、ＰＯＰ意図を消費者側が理解出来る。
【００２０】
請求項６の考案によれば、把手の握持箇所は丁度握りやすい大きさとなる。また、把手カバーの両側部が広く形成され、広告の表示面積が広がることにもなる。
【考案を実施するための最良の形態】
【００２１】
以下、本考案の最良の形態につき、添付図面を用いて詳細に説明する。図１〜図４は本考案の第一実施形態を示すものであり、図１は本発明に係るバスケットの斜視図、図２（ａ），（ｂ）は同バスケットの把手に筒状弾性体及び表装材を取付けるための手順を示す説明図、図３は図２（ｂ）のＡ−Ａ線断面図、図４は同バスケットをキャリア上に段積み状態に格納した状態を示す側面図である。
【００２２】
図１において、バスケット１は、店内において、購入物品を一時格納するバスケット本体部２と、本体部２の上部に連結したコ字形をなす一対の把手３とからなっている。本体部２は、断面台形状をなす長方形のものであって、その底面及び各側面にはそれぞれの中央部を除き肉抜き用の多数の長孔が形成され、さらに上部周囲にはフランジ２ａが形成され、このフランジ２ａ上には長手方向に対向して２箇所、合計４箇所に受け部２ｂが一体に突設され、前記把手３の両端に形成されたフック部３ａを回動可能に連結している。把手３は、受け部２ｂに対し折り曲げて着脱可能なるように構成されている。
【００２３】
各把手３は不使用時には、互いにフランジ２ａ上に折畳み展開し、使用時には各受け部２ｂを基点に起し、２つ合わせとすることによって使用者の手に握持し、本体部２を持歩くものである。
【００２４】
そして、この各把手の握持位置となる水平部には、把手カバー４が取付けられ、この把手カバー４の外周を表装材５により被包している。
【００２５】
把手カバー４は、図２及び図３に示すように、発泡ウレタン等の軽量弾性体からなり、中心部に前記把手３の断面形状に応じた中空部４ａを一体に成形し、さらには下部側に断面方向に沿ったスリット４ｂを形成したものであり、前記把手３に対して装着する際にはこのスリット４ｂを開いて挿入することにより、中空部４ａの内周に前記把手３を包囲した状態に一体化出来る。従って、既存のバスケットの把手３であっても簡単な取付操作で把手カバー４の取付が可能である。
【００２６】
前記表装材５は塩ビシート、マイラーシートなどの印刷性の良好なシート素材からなり、その裏面の包囲端縁には、図２（ａ）に示すように糊しろ５ａが設けられ、これにと予め塗布された粘着剤により包囲状態で接着している。なお、（ａ）中破線で示すものは、折畳み線であるが、実際には該種折畳み線は表示されることはなく、ＰＯＰ表示面５ｂが上向きとなるよう、把手カバー４に巻回・貼着すればよい。
【００２７】
なお、本実施形態において、前記ＰＯＰ表示面５ｂには、該当する商品名を表示した文字、商品キャラクタを示すウサギ、及び該当商品の売出し形態である瓶などが表示したＰＯＰを例示しているが、把手カバー４は細幅であるため、実際には（ｂ）に示すように両把手３を２つ合せにした状態でその商品名が完成するようになっており、消費者にとってはインパクトのあるＰＯＰとなる。
【００２８】
また、前記糊しろ５ａ部分に設けられる粘着剤は、例えば一週間単位など頻繁にＰＯＰを変更する場合には、弱粘着性樹脂を用い、ある一定期間継続するものであれば、強粘着性のものを用いるなど、表装材５のＰＯＰ媒体としての使用期間に適合させることが出来る。
以上により、消費者側にとってはバスケット１が持ちやすく、疲れにくくなるため、結果的に店内滞留時間が長く、その分消費を増大させることが出来る。
【００２９】
図４は、以上の把手カバー４を装着したバケット１をバケットキャリア６に段積み状態に積層収納した状態を示す。図において、展開格納状態の把手の端部には前記把手カバー４が設けられているため、その厚み分積層個数は多少減少するが、バケットキャリア６の設置個数を増して補填すれば、大きな問題は生じない。
【００３０】
次に、図５、６は第２実施形態を示す。図において、一方の把手カバー１０は、前記把手３を２つ合わせた状態で、他方の把手カバー１１の上面をオーバハング状態に覆っていいる。本実施形態によれば、一方の把手カバー１０の上面にＰＯＰ表示面（図略）を印刷した表装材１２で覆えば良いため、前記実施形態に比べて幅が二倍となり、２つ合せにすることなく、ＰＯＰを一面に印刷表示できる。これにより、把手３を起せば直ちにＰＯＰ内容を消費者が理解することが出来る。
【００３１】
なお、把手カバー１０，１１の装着形式としては、前記と同様前記把手３と同一断面の中心孔１０ａ，１１ａとこれに連通するスリット１０ｂ，１１ｂを形成したものである。また本実施形態では、把手カバー１１の外周は表装材で包被しても良いし、しなくても良い。
【００３２】
図７は第３実施形態を示す。本実施形態においては、各把手カバー２０の中央部２０ａを両端部２０ｂより幅狭に形成している。本実施形態では、ＰＯＰ表示媒体としての幅を十分にはとれないものの、消費者の持ち易さを考慮した形状としている。把手カバー２０の両端部２０ｂを中央部２０ａよりも充分広幅としてＰＯＰ表示面を広く形成させることもできる。
【図面の簡単な説明】
【００３３】
【図１】本考案の第１実施形態に係る店内専用買物バスケットの全体構成を示す斜視図である。
【図２】（ａ）は同バスケットの把手に把手カバーを取付、表面にＰＯＰを印刷した表装材を取付ける前段階を示す分解斜視図、（ｂ）は同取付慣性状態を示す部分斜視図である。
【図３】図２（ｂ）のＡ−Ａ線における拡大断面図である。
【図４】同バケットをバケットキャリアに段積み積層した状態を示す側面図である。
【図５】第２実施形態における全体構成を示す斜視図である。
【図６】図５のＢ−Ｂ線における拡大断面図である。
【図７】第３実施形態における全体構成を示す斜視図である。
【符号の説明】
【００３４】
１  店内専用買物バスケット
２  バスケット本体部
２ａ  フランジ
２ｂ  受け部
３  把手
３ａ  フック部
４，１０，２０  把手カバー
５，１０  表装材
５ａ  粘着剤
５ｂ  ＰＯＰ表示面
【図１】
0003119893.tif 000003
【図２】
0003119893.tif 000004
【図３】
0003119893.tif 000005
【図４】
0003119893.tif 000006
【図５】
0003119893.tif 000007
【図６】
0003119893.tif 000008
【図７】
0003119893.tif 000009